(57)【要約】  モバイルフォンとともに用いられるデバイス。実装は、モバイルフォンの背面に直接取り付けられるように構成された金属含有プレートを含んでよく、金属含有プレートは、コーティングを含む。金属含有プレートは、モバイルフォンによって放出される電磁無線周波放射をモバイルフォンのユーザから逸らすように偏向させ、吸収し、または反射するように構成され得る。【選択図】図１
2021509799.tif 000002
【特許請求の範囲】
【請求項１】
モバイルフォンとともに用いられるデバイスであって、
モバイルフォンの背面に直接取り付けられるように構成され、コーティングを備える金属含有プレートを備え、
前記金属含有プレートは、前記モバイルフォンによって放出される電磁無線周波放射を前記モバイルフォンのユーザから逸らすように偏向させ、吸収し、または反射するように構成される、デバイス。
【請求項２】
前記金属含有プレートは、前記モバイルフォンの前記背面の周囲より小さいもの、前記モバイルフォンの前記背面の周囲と概ね同一の広がりを持つもの、前記モバイルフォンの前記背面の周囲と同じ寸法のものの１つである、請求項１に記載のデバイス。
【請求項３】
前記金属含有プレートは、任意の閉形状を形成する周囲を備える、請求項１に記載のデバイス。
【請求項４】
前記金属含有プレートは、前記金属含有プレートの最大表面に非平坦表面を備える、請求項１に記載のデバイス。
【請求項５】
前記金属含有プレートは、銅、金、銀、白金、ニッケル、アルミニウム、フェライト、シュンガイト、任意の無線周波数減衰、吸収、または反射材料、およびそれらの任意の組み合わせから成るグループから選択された材料を備える、請求項１に記載のデバイス。
【請求項６】
前記コーティングは、電気メッキコーティング、無電解メッキコーティング、ウェットまたはドライキャリアを含む塗料、ゴムコーティング、金属コーティング、金属ファイリングコーティング、磁気コーティング、クリアコーティング、セラミックコーティング、粉体コーティング、およびそれらの任意の組み合わせから成るグループから選択される、請求項１に記載のデバイス。
【請求項７】
前記金属含有プレートは、２つ以上の層を備え、前記２つ以上の層の１つは、金属性材料または非金属性材料のいずれかであり、前記２つ以上の層の第２の１つは、非金属性材料または金属性材料のいずれかである、請求項１に記載のデバイス。
【請求項８】
前記金属含有プレートにおける連結機構を更に備え、前記連結機構は、前記金属含有プレートを前記モバイルフォンの前記背面に直接連結するように構成され、粘着剤、面ファスナ、ねじ、スナップ、両面テープ、ポリマ、吸盤、磁石、およびそれらの任意の組み合わせから成るグループから選択される、請求項１に記載のデバイス。
【請求項９】
モバイルフォンとともに用いられるデバイスであって、
モバイルフォンの背面に直接取り付けられ、または前記モバイルフォンの前記背面とカバーとの間に連結されるように構成され、少なくとも２つの部分を備えるプレートを備え、
前記プレートの前記少なくとも２つの部分の少なくとも１つの材料は、前記モバイルフォンによって放出される電磁無線周波放射を前記モバイルフォンのユーザから逸らすように偏向させ、吸収し、または反射するように構成される、デバイス。
【請求項１０】
前記プレートは、少なくとも２つの金属含有部分を備える、請求項９に記載のデバイス。
【請求項１１】
前記プレートの前記少なくとも２つの部分は、非金属性部分または金属性部分を介して互いに連結される、請求項９に記載のデバイス。
【請求項１２】
前記非金属性部分は、結合剤、支持体、プラスティック支持体、ゴム支持体、ポリマ支持体、木支持体、カーボンファイバ支持体、樹脂支持体、強化ガラスエポキシ積層支持体、粘着剤、接着剤、成型材料、およびそれらの任意の組み合わせから成るグループから選択される、請求項９に記載のデバイス。
【請求項１３】
コーティングを更に備え、前記コーティングは、電気メッキコーティング、無電解メッキコーティング、ウェットまたはドライキャリアを含む塗料、ゴムコーティング、セラミックコーティング、金属コーティング、金属ファイリングコーティング、磁気コーティング、クリアコーティング、粉体コーティング、およびそれらの任意の組み合わせから成るグループから選択される、請求項９に記載のデバイス。
【請求項１４】
前記プレートの前記少なくとも２つの部分の少なくとも１つは、２つ以上の層を備え、前記２つ以上の層の１つは、金属性材料または非金属性材料のいずれかであり、前記２つ以上の層の第２の１つは、非金属性材料または金属性材料のいずれかである、請求項９に記載のデバイス。
【請求項１５】
モバイルフォンとともに用いられるデバイスであって、
モバイルフォンの背面に直接取り付けられ、または前記モバイルフォンの前記背面とカバーとの間に連結されるように構成され、メッシュを備えるプレートを備え、
前記メッシュの材料は、前記モバイルフォンによって放出される電磁無線周波放射を前記モバイルフォンのユーザから逸らすように偏向させ、吸収し、または反射するように構成される、デバイス。
【請求項１６】
前記メッシュは、複数の略垂直配向部材を備える、請求項１５に記載のデバイス。
【請求項１７】
前記メッシュは、前記材料を通る、間隔を空けた複数の閉形状開口部を備える、請求項１５に記載のデバイス。
【請求項１８】
前記プレートにおける連結機構を更に備え、前記連結機構は、前記プレートを前記モバイルフォンの前記背面に直接連結するように構成され、粘着剤、面ファスナ、ねじ、スナップ、両面テープ、ポリマ、吸盤、磁石、およびそれらの任意の組み合わせから成るグループから選択される、請求項１５に記載のデバイス。
【請求項１９】
前記プレートは２つ以上の層を備え、前記２つ以上の層の１つは、金属性材料または非金属性材料のいずれかであり、前記２つ以上の層の第２の１つは、非金属性材料または金属性材料のいずれかである、請求項１５に記載のデバイス。
【請求項２０】
前記２つ以上の層のうちの金属性材料である１つは、前記メッシュである、請求項１９に記載のデバイス。
【請求項２１】
ＲＦ放射をモバイルフォンのユーザから逸らすように偏向させるためのデバイスであって、
前記モバイルフォンと装飾または保護用カバーの少なくとも１つとの間に配置されるように構成され、前記モバイルフォンの背面を覆って配置され、取外し可能であって、前記モバイルフォンおよび前記装飾または保護用カバーの前記少なくとも１つに非永続的に取り付けられる金属性プレートを備え、前記金属性プレートは、
銅板と、
前記銅板を覆って形成された粉体コーティングと
を含む、デバイス。
【請求項２２】
前記銅板は、前記モバイルフォンの前記背面の面積全体を被覆するように構成される、請求項２１に記載のデバイス。
【請求項２３】
前記金属性プレートは、前記粉体コーティングを覆って形成されたクリアコートを備える、請求項２１に記載のデバイス。
【請求項２４】
前記金属性プレートは、前記クリアコートの少なくとも１つの表面に塗工された耐滑性材料を備える、請求項２３に記載のデバイス。
【請求項２５】
前記金属性プレートは、前記粉体コーティングに形成されたマークを備える、請求項２１に記載のデバイス。
【請求項２６】
前記銅板は、波状のエッジを有する、請求項２１に記載のデバイス。
【請求項２７】
前記銅板は、鋸歯状のエッジを有する、請求項２１に記載のデバイス。
【請求項２８】
前記銅板は、１／３２〜１／８インチの厚さを有する、請求項２１に記載のデバイス。
【請求項２９】
電磁ＲＦ放射をモバイルフォンのユーザから逸らすように偏向させるためのデバイスであって、
前記モバイルフォンと前記モバイルフォンの背面を覆って配置されたカバーとの間に配置されるように構成され、取外し可能であって、前記モバイルフォンおよび前記カバーに非永続的に取り付けられる金属性プレートを備え、前記金属性プレートは、
前記モバイルフォンがＲＦ信号を受信／送信している時、前記モバイルフォンからＲＦ信号が放射するところである前記モバイルフォンの前記背面を被覆するように構成された銅板と、
前記銅板を覆って形成された粉体コーティングと
を含む、デバイス。
【請求項３０】
前記金属性プレートは、前記粉体コーティングを覆って形成されたクリアコートを備える、請求項２９に記載のデバイス。
【請求項３１】
前記金属性プレートは、前記クリアコートの少なくとも１つの表面に塗工された耐滑性材料を備える、請求項３０に記載のデバイス。
【請求項３２】
前記金属性プレートは、前記粉体コーティングに形成されたマークを備える、請求項２９に記載のデバイス。
【請求項３３】
前記銅板は、波状のエッジを有する、請求項２９に記載のデバイス。
【請求項３４】
前記銅板は、鋸歯状のエッジを有する、請求項２９に記載のデバイス。
【請求項３５】
前記銅板は、１／３２〜１／８インチの厚さを有する、請求項２９に記載のデバイス。
【請求項３６】
ＲＦ放射をモバイルフォンのユーザから逸らすように偏向させるためのデバイスであって、
前記モバイルフォンと前記モバイルフォンの背面を覆って配置されたカバーとの間に配置されるように構成され、取外し可能であって、前記モバイルフォンおよび前記カバーに非永続的に取り付けられる金属性プレートを備え、前記金属性プレートは、
前記モバイルフォンがＲＦ信号を受信／送信している時、ＲＦ信号が放射するところである前記モバイルフォンの前記背面を被覆するように構成された銅板と、
前記銅板を覆って形成された粉体コーティングと、
前記粉体コーティングを覆って形成されたクリアコートと、
前記クリアコートの少なくとも１つの表面に塗工された耐滑性材料と
を含む、デバイス。
【請求項３７】
前記金属性プレートは、前記粉体コーティングに形成されたマークを備える、請求項３６に記載のデバイス。
【請求項３８】
前記銅板は、波状のエッジを有する、請求項３６に記載のデバイス。
【請求項３９】
前記銅板は、鋸歯状のエッジを有する、請求項３６に記載のデバイス。
【請求項４０】
前記銅板は、長方形状である、請求項３６に記載のデバイス。
【請求項４１】
モバイルフォンとともに用いられるデバイスであって、
前記モバイルフォンとカバーとの間に配置されるように構成された金属性プレートを備え、前記金属性プレートはコーティングを有し、それによって前記デバイスは、電磁ＲＦ放射を前記モバイルフォンのユーザから逸らすように偏向させる、デバイス。
【請求項４２】
前記デバイスは、長方形状である、請求項４１に記載のデバイス。
【請求項４３】
前記デバイスは、非長方形状である、請求項４１に記載のデバイス。
【請求項４４】
前記デバイスは、クレジットカードのような形状であり、前記モバイルフォンの背面の少なくとも一部を被覆するサイズである、請求項４１に記載のデバイス。
【請求項４５】
前記デバイスは、前記モバイルフォンまたは前記カバーの少なくとも１つに取外し可能に連結される、請求項４１に記載のデバイス。
【請求項４６】
前記デバイスは、少なくとも１つの開口部を含む、請求項４１に記載のデバイス。
【請求項４７】
前記カバーは、前記デバイスの少なくとも一部および前記モバイルフォンの背面の少なくとも一部を覆って配置される、請求項４１に記載のデバイス。
【請求項４８】
前記デバイスは、前記モバイルフォンのアンテナの少なくとも一部を被覆する寸法である、請求項４１に記載のデバイス。
【請求項４９】
前記デバイスは、電磁放射を放出する前記モバイルフォンの面積の少なくとも一部を被覆するように構成される、請求項４１に記載のデバイス。
【請求項５０】
前記デバイスは、直線、曲線、波形、波状、および鋸歯状の少なくとも１つからなるグループから選択された形状のエッジを有する、請求項４１に記載のデバイス。
【請求項５１】
前記デバイスは、前記モバイルフォンのサイズに比例したサイズである、請求項４１に記載のデバイス。
【請求項５２】
モバイルフォンとともに用いられるデバイスであって、
前記モバイルフォンとカバーとの間に配置されるように構成された金属性プレートを備え、前記金属性プレートはコーティングを有し、前記カバーは前記デバイスの少なくとも一部を覆って配置され、それによって前記デバイスは、電磁ＲＦ放射を前記モバイルフォンのユーザから逸らすように偏向させる、デバイス。
【請求項５３】
前記デバイスは、長方形状である、請求項５２に記載のデバイス。
【請求項５４】
前記デバイスは、非長方形状である、請求項５２に記載のデバイス。
【請求項５５】
前記デバイスは、クレジットカードのような形状であり、前記モバイルフォンの背面の少なくとも一部を被覆するサイズである、請求項５２に記載のデバイス。
【請求項５６】
前記デバイスは、前記モバイルフォンまたは前記カバーの少なくとも１つに取外し可能に連結される、請求項５２に記載のデバイス。
【請求項５７】
前記デバイスは、少なくとも１つの開口部を含む、請求項５２に記載のデバイス。
【請求項５８】
前記カバーは、前記モバイルフォンの背面の少なくとも一部を覆って配置される、請求項５２に記載のデバイス。
【請求項５９】
前記デバイスは、前記モバイルフォンのアンテナの少なくとも一部を被覆する寸法である、請求項５２に記載のデバイス。
【請求項６０】
前記デバイスは、電磁放射を放出する前記モバイルフォンの面積の少なくとも一部を被覆するように構成される、請求項５２に記載のデバイス。
【請求項６１】
前記デバイスは、直線、曲線、波形、波状、および鋸歯状の少なくとも１つからなるグループから選択された形状のエッジを有する、請求項５２に記載のデバイス。
【請求項６２】
前記デバイスは、前記モバイルフォンのサイズに比例したサイズである、請求項５２に記載のデバイス。
【請求項６３】
電磁放射をモバイルフォンのユーザから逸らすように偏向させるためのデバイスであって、
電磁放射を前記モバイルフォンの前記ユーザから逸らすように偏向させるように構成された金属性プレートと、
前記金属性プレートを被覆するコーティングと
を備えるデバイス。
【請求項６４】
前記プレートは、銅、金、銀、白金、ニッケル、アルミニウム、フェライト、シュンガイト、任意の無線周波数減衰、吸収、または反射材料、およびそれらの任意の組み合わせから成るグループから選択された材料を備える、請求項９に記載のデバイス。
【請求項６５】
前記プレートは、銅、金、銀、白金、ニッケル、アルミニウム、フェライト、シュンガイト、任意の無線周波数減衰、吸収、または反射材料、およびそれらの任意の組み合わせから成るグループから選択された材料を備える、請求項１５に記載のデバイス。
【請求項６６】
コーティングを更に備え、前記コーティングは、電気メッキコーティング、無電解メッキコーティング、ウェットまたはドライキャリアを含む塗料、ゴムコーティング、セラミックコーティング、金属コーティング、金属ファイリングコーティング、磁気コーティング、クリアコーティング、粉体コーティング、およびそれらの任意の組み合わせから成るグループから選択される、請求項１５に記載のデバイス。
【請求項６７】
前記プレートの前記２つの部分の各々は、任意の閉形状を形成する周囲を備える、請求項９に記載のデバイス。
【請求項６８】
前記プレートは、任意の閉形状を形成する周囲を備える、請求項１５に記載のデバイス。
【発明の詳細な説明】
【技術分野】
【０００１】
本明細書の態様は、一般に、モバイル電子デバイスに関する。より具体的な実装は、モバイルフォン用アクセサリに関する。
【背景技術】
【０００２】
無線通信機能を有するモバイル電子デバイスは、たとえばデータおよび音声通信などの情報を伝達するために様々な周波数の電磁放射を用いる無線装置（トランシーバ）を利用する。電磁放射は、無線装置に連結されたアンテナを用いて放出および受信される。モバイル電子デバイスの中には、多周波数を用いて送信するために、複数の無線装置および対応するアンテナを利用するものもある。
【発明の概要】
【課題を解決するための手段】
【０００３】
モバイル電子デバイスとともに用いられるデバイスの実装は、モバイル電子デバイスの背面に直接取り付けられるように構成され、コーティングを含む金属含有プレートを含んでよい。金属含有プレートは、モバイル電子デバイスによって放出される電磁無線周波放射をモバイル電子デバイスのユーザから逸らすように偏向させ、吸収し、または反射するように構成され得る。
【０００４】
モバイル電子デバイスの実装は、以下の１つ、全て、またはいずれかを含んでよい。
【０００５】
金属含有プレートは、モバイル電子デバイスの背面の周囲より小さいもの、モバイル電子デバイスの背面の周囲と概ね同一の広がりを持つもの、モバイル電子デバイスの背面の周囲と同じ寸法のものの１つであってよい。
【０００６】
金属含有プレートは、任意の閉形状を形成する周囲を含んでよい。
【０００７】
金属含有プレートは、金属含有プレートの最大表面に非平坦表面を含んでよい。
【０００８】
金属含有プレートは、銅、金、銀、白金、ニッケル、アルミニウム、フェライト、シュンガイト、任意の無線周波数減衰、吸収、または反射材料、およびそれらの任意の組み合わせから成るグループから選択された材料を含んでよい。
【０００９】
コーティングは、電気メッキコーティング、無電解メッキコーティング、ウェットまたはドライキャリアを含む塗料、ゴムコーティング、金属コーティング、金属ファイリングコーティング、磁気コーティング、クリアコーティング、セラミックコーティング、粉体コーティング、およびそれらの任意の組み合わせから成るグループから選択され得る。
【００１０】
金属含有プレートは、２つ以上の層を含んでよく、２つ以上の層の１つは、金属性材料または非金属性材料のいずれかであってよく、２つ以上の層の第２の１つは、非金属性材料または金属性材料のいずれかであってよい。
【００１１】
デバイスは、金属含有プレートにおける連結機構を更に含んでよく、連結機構は、金属含有プレートをポータブル電子デバイスの背面に直接連結するように構成される。連結機構は、粘着剤、面ファスナ、ねじ、スナップ、両面テープ、ポリマ、吸盤、磁石、およびそれらの任意の組み合わせから成るグループから選択され得る。
【００１２】
モバイル電子デバイスとともに用いられるデバイスの実装は、モバイル電子デバイスの背面に直接取り付けられ、またはモバイル電子デバイスの背面とカバーとの間に連結されるように構成されたプレートを含んでよい。プレートは、少なくとも２つの部分を含んでよい。プレートの少なくとも２つの部分の少なくとも１つの材料は、モバイル電子デバイスによって放出される電磁無線周波放射をモバイル電子デバイスのユーザから逸らすように偏向させ、吸収し、または反射するように構成され得る。
【００１３】
モバイル電子デバイスとともに用いられるデバイスの実装は、以下の１つ、全て、またはいずれかを含んでよい。
【００１４】
プレートは、少なくとも２つの金属含有部分を含んでよい。
【００１５】
プレートの少なくとも２つの部分は、非金属性部分または金属性部分を介して互いに連結され得る。
【００１６】
非金属性部分は、結合剤、支持体、プラスティック支持体、ゴム支持体、ポリマ支持体、木支持体、カーボンファイバ支持体、樹脂支持体、強化ガラスエポキシ積層支持体、粘着剤、接着剤、成型材料、およびそれらの任意の組み合わせから成るグループから選択され得る。
【００１７】
デバイスは、電気メッキコーティング、無電解メッキコーティング、ウェットまたはドライキャリアを含む塗料、ゴムコーティング、セラミックコーティング、金属コーティング、金属ファイリングコーティング、磁気コーティング、クリアコーティング、粉体コーティング、およびそれらの任意の組み合わせから成るグループから選択され得るコーティングを更に含んでよい。
【００１８】
プレートの少なくとも２つの部分の少なくとも１つは、２つ以上の層を含んでよく、２つ以上の層の１つは、金属性材料または非金属性材料のいずれかであり、２つ以上の層の第２の１つは、非金属性材料または金属性材料のいずれかである。
【００１９】
モバイル電子デバイスとともに用いられるデバイスの実装は、モバイル電子デバイスの背面に直接取り付けられ、またはモバイル電子デバイスの背面とカバーとの間に連結されるように構成されたプレートを含んでよい。プレートは、メッシュを含んでよい。メッシュの材料は、モバイル電子デバイスによって放出される電磁無線周波放射をモバイル電子デバイスのユーザから逸らすように偏向させ、吸収し、または反射するように構成され得る。
【００２０】
モバイル電子デバイスとともに用いられるデバイスの実装は、以下の１つ、全て、またはいずれかを含んでよい。
【００２１】
メッシュは、複数の略垂直配向部材を含んでよい。
【００２２】
メッシュは、材料を通る、間隔を空けた複数の閉形状開口部を含んでよい。
【００２３】
デバイスは、プレートにおける連結機構を含んでよい。連結機構は、プレートをポータブル電子デバイスの背面に直接連結するように構成され得る。連結機構は、粘着剤、面ファスナ、ねじ、スナップ、両面テープ、ポリマ、吸盤、磁石、およびそれらの任意の組み合わせから成るグループから選択され得る。
【００２４】
プレートは、２つ以上の層を含んでよく、２つ以上の層の１つは、金属性材料または非金属性材料のいずれかであってよく、２つ以上の層の第２の１つは、非金属性材料または金属性材料のいずれかである。
【００２５】
２つ以上の層のうちの金属性材料である１つは、メッシュであってよい。
【００２６】
ＲＦ放射をモバイルフォンのユーザから逸らすように偏向させるためのデバイスの実装は、モバイルフォンと装飾または保護用カバーの少なくとも１つとの間に配置されるように構成された金属性プレートを含んでよい。金属性プレートは、モバイルフォンの背面を覆って配置され得る。金属性プレートは、取外し可能であって、モバイルフォンおよび装飾または保護用カバーの少なくとも１つに非永続的に取り付けられ得る。金属性プレートは、銅板と、銅板を覆って形成された粉体コーティングとを含んでよい。
【００２７】
ＲＦ放射をモバイルフォンのユーザから逸らすように偏向させるためのデバイスの実装は、以下の１つ、全て、またはいずれかを含んでよい。
【００２８】
銅板は、モバイルフォンの背面の面積全体を被覆するように構成され得る。
【００２９】
金属性プレートは、粉体コーティングを覆って形成されたクリアコートを含んでよい。
【００３０】
金属性プレートは、クリアコートの少なくとも１つの表面に塗工された耐滑性材料を含んでよい。
【００３１】
金属性プレートは、粉体コーティングに形成されたマークを含んでよい。
【００３２】
銅板は、波状のエッジを有してよい。
【００３３】
銅板は、鋸歯状のエッジを有してよい。
【００３４】
銅板は、１／３２〜１／８インチの厚さを有してよい。
【００３５】
電磁ＲＦ放射をモバイルデバイスのユーザから逸らすように偏向させるためのデバイスの実装は、モバイルフォンとモバイルフォンの背面を覆って配置されたカバーとの間に配置されるように構成された金属性プレートを含んでよい。金属性プレートは、取外し可能であって、モバイルフォンおよびカバーに非永続的に取り付けられ得る。金属性プレートは、モバイルフォンがＲＦ信号を受信／送信している時、モバイルフォンからＲＦ信号が放射するところであるモバイルフォンの背面を被覆するように構成された銅板を含んでよい。粉体コーティングが銅板を覆って形成され得る。
【００３６】
電磁ＲＦ放射をユーザから逸らすように偏向させるためのデバイスの実装は、以下の１つ、全て、またはいずれかを含んでよい。
【００３７】
金属性プレートは、粉体コーティングを覆って形成されたクリアコートを含んでよい。
【００３８】
金属性プレートは、クリアコートの少なくとも１つの表面に塗工された耐滑性材料を含んでよい。
【００３９】
金属性プレートは、粉体コーティングに形成されたマークを含んでよい。
【００４０】
銅板は、波状のエッジを有してよい。
【００４１】
銅板は、鋸歯状のエッジを有してよい。
【００４２】
銅板は、１／３２〜１／８インチの厚さを有してよい。
【００４３】
ＲＦ放射をモバイルフォンのユーザから逸らすように偏向させるためのデバイスの実装は、モバイルフォンとモバイルフォンの背面を覆って配置されたカバーとの間に配置されるように構成され、取外し可能であって、モバイルフォンおよびカバーに非永続的に取り付けられる金属性プレートを含んでよい。金属性プレートは、モバイルフォンがＲＦ信号を受信／送信している時、ＲＦ信号が放射するところであるモバイルフォンの背面を被覆するように構成された銅板を含んでよい。粉体コーティングが、銅板を覆って形成され得る。クリアコートが、粉体コーティングを覆って形成され得る。耐滑性材料が、クリアコートの少なくとも１つの表面に塗工され得る。
【００４４】
電磁ＲＦ放射を偏向させるためのデバイスの実装は、以下の１つ、全て、およびいずれかを含んでよい。
【００４５】
金属性プレートは、粉体コーティングに形成されたマークを含んでよい。
【００４６】
銅板は、波状のエッジを有してよい。
【００４７】
銅板は、鋸歯状のエッジを有してよい。
【００４８】
銅板は、長方形状であってよい。
【００４９】
モバイル電子デバイスとともに用いられるデバイスの実装は、モバイル電子デバイスとカバーとの間に配置されるように構成された金属性プレートを含んでよい。金属性プレートは、コーティングを有してよい。デバイスは、電磁ＲＦ放射をモバイル電子デバイスのユーザから逸らすように偏向させてよい。
【００５０】
モバイル電子デバイスとともに用いられるデバイスの実装は、以下の１つ、全て、およびいずれかを含んでよい。
【００５１】
デバイスは、長方形状であってよい。
【００５２】
デバイスは、非長方形状であってよい。
【００５３】
デバイスは、クレジットカードのような形状であってよく、モバイル電子デバイスの背面の少なくとも一部を被覆するサイズであってよい。
【００５４】
デバイスは、モバイル電子デバイスまたはカバーの少なくとも１つに取外し可能に連結され得る。
【００５５】
デバイスは、少なくとも１つの開口部を含んでよい。
【００５６】
カバーは、デバイスの少なくとも一部およびモバイル電子デバイスの背面の少なくとも一部を覆って配置され得る。
【００５７】
デバイスは、モバイル電子デバイスのアンテナの少なくとも一部を被覆する寸法であってよい。
【００５８】
デバイスは、モバイル電子デバイスのアンテナに隣接したモバイル電子デバイスの背面の少なくとも一部を被覆するように構成され得る。
【００５９】
デバイスは、電磁放射を放出するモバイル電子デバイスの面積の少なくとも一部を被覆するように配置される。
【００６０】
デバイスは、直線、曲線、波形、波状、および鋸歯状の少なくとも１つからなるグループから選択された形状のエッジを有してよい。
【００６１】
デバイスは、モバイル電子デバイスのサイズに比例したサイズであってよい。
【００６２】
モバイルフォンとともに用いられるデバイスの実装は、モバイルフォンとカバーとの間に配置されるように構成された金属性プレートを含んでよい。金属性プレートは、コーティングを有してよい。カバーは、デバイスの少なくとも一部を覆って配置され得る。デバイスは、電磁ＲＦ放射をモバイルフォンのユーザから逸らすように偏向させてよい。
【００６３】
モバイルフォンとともに用いられるデバイスの実装は、以下の１つ、全て、またはいずれかを含んでよい。
【００６４】
デバイスは、長方形状であってよい。
【００６５】
デバイスは、非長方形状であってよい。
【００６６】
デバイスは、クレジットカードのような形状であってよく、モバイルフォンの背面の少なくとも一部を被覆するサイズであってよい。
【００６７】
デバイスは、モバイルフォンまたはカバーの少なくとも１つに取外し可能に連結され得る。
【００６８】
デバイスは、少なくとも１つの開口部を含んでよい。
【００６９】
カバーは、モバイルフォンの背面の少なくとも一部を覆って配置され得る。
【００７０】
デバイスは、モバイルフォンのアンテナの少なくとも一部を被覆する寸法であってよい。
【００７１】
デバイスは、モバイルフォンのアンテナに隣接したモバイルフォンの背面の少なくとも一部を被覆するように配置され得る。
【００７２】
デバイスは、電磁放射を放出するモバイルフォンの面積の少なくとも一部を被覆するように構成され得る。
【００７３】
デバイスは、直線、曲線、波形、波状、および鋸歯状の少なくとも１つからなるグループから選択された形状のエッジを有してよい。
【００７４】
デバイスは、モバイルフォンのサイズに比例したサイズであってよい。
【００７５】
電磁放射をモバイルデバイスのユーザから逸らすように偏向させるためのデバイスの実装は、電磁放射をモバイル電子デバイスのユーザから逸らすように偏向させる金属性プレートと、金属性プレートを被覆するコーティングとを含んでよい。
【００７６】
上記および他の態様、特徴、および利点は、発明を実施するための形態および図面、ならびに特許請求の範囲から、当業者に明らかとなる。
【００７７】
以下、添付図面とともに実装を説明するが、同符号は同要素を示す。
【図面の簡単な説明】
【００７８】
【図１】モバイルフォン用の装飾および／または保護用ケース内に配置されたＲＦ遮蔽デバイスの実装の斜視図である。
【図２】モバイルフォン用の装飾および／または保護用ケース内に配置されたＲＦ遮蔽デバイスの他の実装の正面図である。
【図３】モバイルフォン用の装飾および／または保護用ケース内に配置されたＲＦ遮蔽デバイスの他の実装の正面図である。
【図４】モバイルフォン用のＲＦ遮蔽デバイスの実装の断面図である。
【図５】ポータブル電子デバイスに直接連結されたＲＦ遮蔽デバイスの第１の実装の正面図である。
【図６】ポータブル電子デバイスに直接連結されたＲＦ遮蔽デバイスの第２の実装の正面図である。
【図７】ポータブル電子デバイスに直接連結されたＲＦ遮蔽デバイスの第３の実装の正面図である。
【図８】ポータブル電子デバイスに直接連結されたＲＦ遮蔽デバイスの第４の実装の正面図である。
【図９】ポータブル電子デバイスに直接連結されたＲＦ遮蔽デバイスの第５の実装の正面図である。
【図１０】ポータブル電子デバイスに直接連結されたＲＦ遮蔽デバイスの第６の実装の正面図である。
【図１１】ポータブル電子デバイスに直接連結されたＲＦ遮蔽デバイスの第７の実装の正面図である。
【図１２】ポータブル電子デバイスに直接連結されたＲＦ遮蔽デバイスの第８の実装の正面図である。
【図１３】ポータブル電子デバイスに直接連結されたＲＦ遮蔽デバイスの第９の実装の正面図である。
【図１４】ポータブル電子デバイスに直接連結されたＲＦ遮蔽デバイスの第１０の実装の正面図である。
【図１５】ＲＦ遮蔽デバイスの第１１の実装の正面図である。
【図１６】ＲＦ遮蔽デバイスの第１２の実装の正面図である。
【図１７】ＲＦ遮蔽デバイスの第１３の実装の正面図である。
【図１８】ＲＦ遮蔽デバイスの第１のメッシュ実装の正面図である。
【図１９】ＲＦ遮蔽デバイスの第２のメッシュ実装の正面図である。
【図２０】ＲＦ遮蔽デバイスの第１４の実装の断面図である。
【図２１】ＲＦ遮蔽デバイスの第１５の実装の断面図である。
【図２２】ＲＦ遮蔽デバイスの第１６の実装の断面図である。
【図２３】ＲＦ遮蔽デバイスの第１７の実装の側面図である。
【図２４】ＲＦ遮蔽デバイスの第１８の実装の側面図である。
【図２５】ＲＦ遮蔽デバイスの第１９の実装の側面図である。
【図２６】ＲＦ遮蔽デバイス、ケース、およびポータブル電子デバイスの第１の実装の側面図である。
【図２７】ＲＦ遮蔽デバイス、ケース、およびポータブル電子デバイスの第２の実装の側面図である。
【図２８】ＲＦ遮蔽デバイス、ケース、およびポータブル電子デバイスの第３の実装の側面図である。
【図２９】ＲＦ遮蔽デバイス、ケース、およびポータブル電子デバイスの第４の実装の側面図である。
【図３０】ＲＦ遮蔽デバイスの実装の第１の断面図である。
【図３１】ＲＦ遮蔽デバイスの実装の第２の断面図である。
【図３２】ポータブル電子デバイスに直接連結されたＲＦ遮蔽デバイスの第２０の実装の正面図である。
【図３３】ポータブル電子デバイスに直接連結されたＲＦ遮蔽デバイスの第２１の実装の正面図である。
【図３４】２つのＲＦ遮蔽デバイスを有するポータブル電子デバイスに連結されたケースの実装の斜視図である。
【図３５】ＲＦ遮蔽デバイスが組み込まれたポータブル電子デバイスに連結されたケースの他の実装の斜視図である。
【図３６】カバーの実装のフラップの斜視図である。
【発明を実施するための形態】
【００７９】
本開示ならびに本開示の態様および実装は、本明細書に開示される特定の構成要素、組立て手順、または方法要素に限定されるものではない。モバイル電子デバイスから放出される電磁放射を反射し、偏向させ、および／または吸収するために意図されたデバイスおよび関連方法と一致する当該技術において既知である多数の追加の構成要素、組立て手順、および／または方法要素は、本開示から特定の実装とともに用いるために明らかとなる。したがって、たとえば、特定の実装が開示されるが、そのような実装および実装部品は、モバイル電子デバイスから放出される電磁放射を反射し、偏向させ、および／または吸収するためのデバイスおよび関連方法、ならびに意図された動作および方法と一致する実装部品および方法に関して、当該技術において既知であるように、任意の形状、サイズ、様式、型式、モデル、バージョン、測定値、濃度、材料、質量、方法要素、ステップなどを備えてよい。
【００８０】
モバイルフォンは、たとえばローカルエリアネットワーク（ＬＡＮ）、汎用広域ネットワーク（ＷＡＮ）、および／または公衆ネットワークなどの通信ネットワークを介して無線でデータを送受信する。これらのネットワークと通信するために、これらのモバイルフォン内のアンテナは、無線周波数（ＲＦ）信号を受信および放射する。モバイルフォンは、起動されると、ＲＦ電磁周波数信号を絶えず送受信している。
【００８１】
多くのモバイルフォンは、使用中、ユーザの身体および／または頭部の付近で保持される。たとえば、モバイルフォンで通話する時、ユーザはユーザの頭部／耳／脳／目の付近でモバイルフォンを保持し得る。多くのユーザは、自身のモバイルフォンを身体に隣接したポケットに格納し保持する。よって、ＲＦ電磁周波数信号を放射するモバイルフォンのアンテナは、多くの放射線がユーザの頭部および身体に触れ、吸収されることをもたらし得る。
【００８２】
モバイルフォンから放射されるＲＦ電磁周波数信号の健康問題に関する研究が行われ続けている。これらの研究は、人々への放射線の長期的悪影響およびその医学的問題に焦点を当ててきた。いくつかの研究結果は、放射線の透過レベルは、成人よりも子供に対しより危険性が高く、より大きな健康への悪影響を有することを示している。子供の神経系は未発達であるため、発癌性の可能性のある要因に対し、より脆弱である。子供の頭部は成人の頭部よりも小さく、より薄い脳組織および骨を有するため、モバイルフォンによって放出される無線周波放射に触れる部分が比例して大きい。また子供は、成人よりも長い年月を重ねモバイルフォンに触れる可能性も有する。現在、脳の電気活動、関節痛、心拍数、血圧、免疫系、発癌影響の可能性への放射線の潜在的健康影響に関するいくつかの研究が行われている。世界保健機関は、モバイルフォン放射をクラス２Ｂの発癌可能性に分類している。
【００８３】
モバイルフォンによる放射の潜在的影響のため、米国連邦通信委員会（ＦＣＣ）は、ユーザの頭部に向けられる（たとえばモバイルまたはセルラフォンなどの）ポータブル通信デバイスからの放射（比吸収率、またはＳＡＲ）を制限することを要求している。また、電磁ＲＦ放射の悪影響を理由としてモバイルフォンをユーザの頭部および身体から特定の距離を空けて維持するようユーザに警告する警告が、全てのモバイルフォン取扱説明書の箱内に設けられている。
【００８４】
本明細書において、プレートまたは他の構造を遮蔽物として用いることにより、モバイルフォンユーザの身体からＲＦ放射を逸らすように偏向させ、吸収し、および／または反射する様々なデバイスおよび方法が説明される。そのようなデバイスは、ポータブル電子デバイスのユーザによる、ポータブル電子デバイスによって放出される電磁ＲＦ放射の吸収を著しく減少させ得る。いくつかの実装において、デバイスは、モバイルフォンと装飾および／または保護用ケースとの間に嵌合する。他の実装において、デバイスは、ポータブル電子デバイスに直接連結する。また他の実装において、デバイスは、ケースに直接連結し、またはケース自体の一部を成す。他の実装において、デバイスは、ケースに連結されたスリーブ内に連結し、またはポータブル電子デバイス自体に直接連結してよい。
【００８５】
図１を参照すると、ＲＦ遮蔽デバイス１０の実装が示される。ＲＦ遮蔽デバイス１０は、プレート１２を含んでよい。プレート１２は、金属性材料のシートで形成され得る。様々な金属性材料が用いられ得る。たとえば、アルミニウム、予め錫メッキされた鋼板、合金７７０などの材料が、ＲＦ遮蔽デバイス１０のプレート１２を形成するために用いられ得る。様々な実装において、プレート１２は、銅で形成され得る。銅は、磁波および電波の減衰に非常に効果的であるため、ＲＦ遮蔽デバイス１０が、モバイルフォン３０から放出された電磁放射を低減することを可能にする。
【００８６】
ＲＦ遮蔽デバイス１０は、様々なサイズで形成され得る。ＲＦ遮蔽デバイス１０のサイズは、モバイルフォン３０のサイズおよびモバイルフォン３０内のアンテナの位置に基づいてよい。たとえば、いくつかのモバイルフォン３０は、たとえばモバイルフォン３０の上部または下部といった１つのエリアのみに位置する１または複数のアンテナを有してよい。したがって、ＲＦ遮蔽デバイス１０ならびにプレート１２は、モバイルフォン３０の下部および／または上部エリアを被覆するサイズであってよい。例示された実装において、プレート１２は、クレジットカードの形状と同様のサイズおよび寸法であってよい。ただし、いくつかのモバイルフォン３０は、モバイルフォン３０の上部および下部に位置する多数のアンテナを有してよい。たとえば、いくつかのモバイルフォンは、４つのアンテナを有し、各角部（左上、右上、左下、および右下の角部）に１つのアンテナが位置する。これらの型式のモバイルフォン３０の場合、プレート１２は、モバイルフォン３０の背面全体を被覆するサイズであってよい。上述のサイズおよび寸法は、非限定的な例として与えられる。本明細書に開示された原理を用いて、他の構成が展開され得る。たとえば、モバイルフォン３０に形成されたカメラレンズ開口部をＲＦ遮蔽デバイス１０が塞がないように、ＲＦ遮蔽デバイス１０に小さな切抜きが形成され得る。
【００８７】
プレート１２を形成するために銅が用いられる場合、銅板１２は、腐食しやすい傾向を有し得る。銅の腐食は、銅板１２が大気／空気に触れると発生し得る。銅の酸化は、銅板１２を錆びさせ得る。時を経て、銅板１２は濃茶色または黒色に変化し、最終的に緑色に変化し得る。銅版１２の酸化により、ＲＦ遮蔽デバイス１０がモバイルフォン３０の外観を損ない／モバイルフォン３０を損傷させ得る。
【００８８】
図４を参照すると、酸化の問題を理由として、プレート１２は粉体コーティングされ得る。粉体コーティングは、コーティング１４がプレート１２に静電塗工され、その後、熱によって硬化され、プレート１２を覆うコーティング１４を形成するプロセスである。コーティング１４は、熱可塑性または熱硬化性ポリマであってよく、任意の色になり得る。コーティング１４は、従来の塗料よりも頑丈であり腐食防止により効果的なプレート１２の硬仕上げを生成し得る。
【００８９】
コーティング１４が塗工された後、プレート１２に様々な文字、デザイン、および／または他のマーク１６（図１）が形成され得る。文字、デザイン、および他のマーク１６は、ＲＦ遮蔽デバイス１０が個人の好みに合わせられることを可能にし得る。クリアコート１８は、コーティング１４の上に塗工され得る。
【００９０】
耐滑性材料２０がクリアコート１８に塗工され得る。耐滑性材料２０は、後述され得るように、ＲＦ遮蔽デバイス１０が滑動および移動しないように維持し得る。
【００９１】
図１〜３を参照すると、ＲＦ遮蔽デバイス１０は、様々なサイズ、形状、および構成で形成され得る。図１は、ＲＦ遮蔽デバイス１０が長方形状であってよく、後述するように、ＲＦ遮蔽デバイス１０をモバイルフォン３０と装飾および／または保護用カバー２２との間に配置されるよう維持するために十分な厚さを有し得る実装を示す。一実施形態によると、ＲＦ遮蔽デバイス１０は、約１／１２８〜約１／８インチの厚さを有してよい。デバイスは、様々な実装において、金属箔または金属テープで形成されてもよい。一実施形態によると、ＲＦ遮蔽デバイス１０は、約１／３２〜約１／８インチの厚さを有してよい。そのような実装において、材料の厚さは、約０．００１ｍｍ〜約６．５ｍｍであってよい。いくつかの実装において、材料の厚さは、６．５ｍｍより厚くてもよい。
【００９２】
ＲＦ遮蔽デバイス１０は、図２に示され得るように、ＲＦ遮蔽デバイス１０のエッジ１０Ａ（上、下、左、および右側エッジ）に形成された波構成２４を有するように形成され得る。ＲＦ遮蔽デバイス１０は、図３に示され得るように、ＲＦ遮蔽デバイス１０のエッジ１０Ａ（上、下、左、および右側エッジ）に形成された鋸歯構成２６を有するように形成され得る。エッジ１０Ａに形成された波構成２４および鋸歯構成２６は、モバイルフォン３０から放出された電磁放射のレベルに影響を及ぼし得る。波構成は、様々な実装において、デバイスの１または複数の側部に存在してよい。
【００９３】
動作中、ＲＦ遮蔽デバイスがカバーとモバイルフォンとの間に配置されたこれらの実装において、ユーザのモバイルフォン３０から放出される電磁放射を低減したいと望むユーザは、モバイルフォン３０内の１または複数のアンテナの位置を決定する必要があり得る。ユーザがアンテナの位置を決定すると、ユーザは、アンテナが位置し得るエリアを覆ってＲＦ遮蔽デバイス１０が配置されるように、モバイルフォン３０の背面にＲＦ遮蔽デバイス１０を配置してよい。ユーザは、耐滑性材料２０がモバイルフォン３０の背面に当接するようにＲＦ遮蔽デバイス１０を配置してよい。これにより、ＲＦ遮蔽デバイス１０が位置ずれおよび移動することが防がれ得る。その後、装飾および／または保護用カバー２２がモバイルフォン３０に取り付けられ、モバイルフォン３０と装飾および／または保護用カバー２２との間にＲＦ遮蔽デバイス１０を固定し得る。
【００９４】
ＲＦ遮蔽デバイス１０は、モバイルフォン３０から放出される電磁放射を反射し、および／または偏向させるように設計される。ＲＦ遮蔽デバイス１０は、モバイルフォン３０と装飾および／または保護用カバー２２との間に嵌合し、容易に動かすことができる。これにより、ＲＦ遮蔽デバイス１０のユーザは、モバイルフォン３０からの電磁放射を偏向させることができるようにするためのＲＦ遮蔽デバイス１０とともに自身が望み得る任意の装飾および／または保護用カバー２２を取り替え、使用することができる。
【００９５】
これまで、本明細書において、ＲＦ遮蔽デバイスの様々な実装が開示された。これらの実装および本明細書に開示される追加の実装は、プレートの部品、一片、または一部がポータブル電子デバイス自体のケース内にはないプレートを示す。上述したように、これらのデバイスは、カバーとポータブル電子デバイスとの間に嵌合する寸法であってよく、ポータブル電子デバイス自体に連結してよく、またはカバー設計の一部であってよい。本明細書に開示されるデバイスが併用され得る電子デバイスは、非限定的な例として、モバイル電子デバイス、セルフォン、モバイルフォン、ファブレット、テーブル、ラップトップ、スマートウォッチ、ハートモニタ、可動式医療機器、およびＲＦ放射を伴う他の任意の可動式電子デバイスであってよい。本明細書の以下の部分において、様々なＲＦ遮蔽デバイス設計が説明される。それらは、ポータブル電子デバイスまたはカバーに直接連結される状況で説明され得るが、理解すべき点として、これらのデバイス設計は、カバーとポータブル電子デバイスとの間でも同様に用いられ得る。
【００９６】
図５を参照すると、（この場合モバイルフォンである）ポータブル電子デバイス３４に連結された、ＲＦ遮蔽デバイス３２の第１の実装が示される。例示された実装において、ＲＦ遮蔽デバイス３２は、（所望に応じて使用され得るが）この実装においてカバーを含まないポータブル電子デバイス３４の表面に直接連結される。例示するように、ＲＦ遮蔽デバイス３２は、ポータブル電子デバイス３４の少なくとも１つのアンテナを被覆するように配置されるが、ポータブル電子デバイス３４自体の周囲よりも小さい。ＲＦ遮蔽デバイスのこの実装において（本明細書に開示される他の全てのＲＦ遮蔽デバイス実装と同様に）、ＲＦ遮蔽デバイスの材料は、ポータブル電子デバイスによって放出および受信される電磁無線周波数放射を偏向させ、吸収し、または反射することができる任意の材料であってよい。特定の実装において、ＲＦ遮蔽デバイスの材料は、非限定的な例として、金属、銅、金、銀、白金、ニッケル、アルミニウム、フェライト、上記の任意の合金、および上記の任意の組み合わせであってよい。ＲＦ遮蔽デバイスは、図５に示す実装において、プレートの形状であってよい。他の実装において、セラミック、複合物、グラフェン、カーボンファイバ、シュンガイト、プラスティック、ポリマ、およびポータブル電子デバイスによって放出される電磁無線周波放射を偏向させ、吸収し、または反射することができる他の任意の非金属性材料などの非金属性／非金属化合物が様々な実装において用いられ得る。金属または非金属であるこれらの材料に関して、金属の特定の結晶配向および／または結晶面が、ＲＦ放射に関する所望の偏向、吸収、または反射効果を最大化し、またはもたらすために用いられ得る。
【００９７】
図５に示す実装は、幅広く様々な連結機構によってポータブル電子デバイスの背面に連結され得る。様々な実装において用いられ得る連結機構の非限定的な例は、粘着剤、面ファスナ、ねじ、スナップ、両面テープ、ポリマ、吸盤、磁石、接着剤、または２つの片を接合することが可能な他の任意の連結システムまたは材料を含む。ＲＦ遮蔽デバイス３２は、いくつかの実装において、コーティングされなくてよい。他の実装において、デバイス３２は、非限定的な例として電気メッキコーティング、セラミックコーティング、無電解メッキコーティング、ウェットまたはドライキャリアを用いる塗料、ラバーコーティング、金属コーティング、金属ファイルコーティング、磁気コーティング、クリアコーティング、または粉体コーティングを含む、本明細書に開示される任意のコーティングを含んでよい。本明細書において上述したように、本明細書に開示されるコーティングの１またはいずれかの多数の層が、様々な実装において用いられ得る。また、たとえば非限定的な例としてメタルオンメタルコーティング、コーティングに含まれた金属ファイリング、導電性塗料、非導電性塗料、およびＲＦ偏向、吸収、または反射効果を有する本明細書に開示された他の任意の材料型式のコーティングなどのコーティングとして、金属および他のＲＦ遮蔽材料が塗工され得る。様々な実装において、布および他の織物材料がコーティングとして用いられてもよい。
【００９８】
ＲＦ遮蔽デバイス３２として用いられる特定のプレートの設計は、様々な実装において多くの形式を用いてよい。図６を参照すると、ポータブル電子デバイス３４の背面の周囲と同じサイズに近い、または同一の広がりを有する周囲サイズを有するＲＦ遮蔽デバイス／プレート３６の実装が示される。他の実装において、プレートの形状は、ポータブル電子デバイスの背面の周囲と同じサイズであってよい。他の実装において、プレートは実際には、ポータブル電子デバイスの背面を取り巻いて側面に重なり伸長する。いくつかの実装において、プレートは、ポータブル電子デバイスの１または複数の側部を跨いでポータブル電子デバイスの前面に巻き付いてよい。プレートの周囲の実際の形状は、本明細書に開示されたいずれかを含む任意の閉形状であってよい。図８および図１３は、多角形ではなく、（図８におけるプレート４２の場合は）突起部を含み、図１３のプレート５４の場合は不規則形状を含むプレート設計を示す。プレートは、貫通する１または複数の開口部を含んでよい。いくつかの実装において、１または複数の開口部は、カメラ、指紋リーダ、電源ボタン、またはポータブル電子デバイスの他の部分に適応してよい。
【００９９】
ＲＦ遮蔽デバイスにおいて用いられるプレート実装は、複数の部分／セクションを含んでよい。図７を参照すると、２つのセクション３８、４０を有するプレートが示される。２つのセクション３８、４０は同じサイズまたはほぼ同じサイズであるように示されるが、様々な実装において、２つ以上のプレート部分の相対サイズは異なってよい。図９、図１０、図１１、および図１２は、一部が湾曲セクション／部分４４、４６を含んでよく、様々な部分が様々な配向で縦（部分４８）および横（部分５０および５２）にポータブル電子デバイス３４の背面に配置され得ることを示す、様々な複数部分プレート実装を示す。また、図において、これらの部分はポータブル電子デバイスの軸に対し対称に配置されるが、他の実装において、これらの部分は対象に配置されなくてもよい。
【０１００】
複数の部分が用いられるこれらのプレート実装に関して、複数の部分は、本明細書に開示される任意の連結システムを用いてポータブル電子デバイスの背面に個々に連結され得る。他の実装において、これらの部分は、他の部分を用いて互いに連結され得る。図１４を参照すると、互いに連結された３つのセクション５８、６０、および６２でプレート５６が形成された、プレート５６の実装が示される。この実装において、セクション５８および６０は金属性であり、セクション６２は、２つのセクション５８および６０を互いに連結するために作用する非金属性材料で作られる。特定の実装において、これらのセクションは、金属性および／または非金属性材料の任意の組み合わせで作られてよい。様々な実装において、非金属性部分は、たとえば非限定的な例として、結合剤、支持体、プラスティック支持体／部分、ゴム支持体、ポリマ支持体、木支持体、カーボンファイバ支持体、樹脂支持体、強化ガラスエポキシ積層支持体（ＦＲ−４）、粘着剤、接着剤、成型材料、またはプレートの多数のセクションを互いに連結することが可能な他の任意の材料または構造など、様々な材料で作られた様々な構造を含んでよい。様々な実装において、これらの部分は、成型、成形、糊付け、接合、射出成型、および非金属性部分の材料を有するセクションを連結するための他の任意の他の任意の技術を用いて互いに接合され得る。様々な実装において、非金属性部分は、実際は、本明細書に開示されるような金属ファイリングまたは金属層などのいくつかの金属部品を含んでよい。
【０１０１】
複数のセクションが用いられる様々な実装において、全てのセクションが金属含有材料で作られてよい。これらの実装において、金属含有セクションは、非限定的な例として、糊付け、溶接、接着、または金属含有材料を接着するための他の任意の技術を用いて、接合され得る。
【０１０２】
本明細書に開示される様々なプレート設計は、ポータブル電子デバイスの背面と実質的に平行な完全平坦部分も含んでよい。しかし他の実装において、幅広く様々な非平坦形状が、プレートの１または複数の表面に組み込まれてもよい。図１５を参照すると、プレートの材料に複数の隆起した波形突起６６を有するプレート６４が示される。様々な実装において、波形突起は、非限定的な例として、直線、斜線、部分線、個々の突起、不規則に配置された突起であってよく、上記のいずれかは、非限定的な例として、滑らか、粗い、ぎざぎざ、斜め、交互、および他の任意の表面形状を含む任意の型式の表面仕上げを有してよい。波形突起６６は、プレート６４の表面を成型、鋳造、ミリング、スタンピング、穿孔、または他の方法で成形することによって形成され得る。図１６を参照すると、上述した技術のいずれかを用いて形成されたジグザグの窪み７０を有するプレート６８が示される。窪みは、本明細書で言及される突起形状のいずれかの形状を用いてよく、本明細書で言及される突起の表面仕上げ型式のいずれかを含んでよい。突起および窪みのサイズおよび配置ならびに他の特徴は、ＲＦ放射の減衰／吸収／反射を助長するように設計され得る。ただし、図１７に示す実装などの他の実装において、突起７２は単に、プレート７４および／またはプレートと接する表面の引っ掻きを防ぐために、プレート７４の表面を、プレートが載置された任意の表面より上に持ち上げるために機能してよい。他の実装において、図１７に示す突起などの突起は、プレートの下側のポータブル電子デバイスとプレートとの間で空気などの循環が発生することを可能にするために、プレートの両面にあってよい。
【０１０３】
図２０〜２５は、プレート設計に組み込まれ得る他の様々な非平坦形状を示す。図２０は、プレート７８の断面に／断面を横断して組み込まれた凹形状７６を示す。図２１は、プレート８２の断面に組み込まれた凸形状８０を示す。図２２は、プレート８６の断面に組み込まれた交互形状８４を示す。プレートの断面に組み込まれた特定の寸法の形状７６、８０、および８４は、ポータブル電子デバイスからのＲＦ放射の減衰／吸収／反射を助長し得る。図２３〜２５は、プレートの最も長い寸法（プレートの長手方向寸法）に組み込まれた非平坦形状を示す。図２３は、プレート９０の長手方向寸法に組み込まれた凹形状８８を示す。図２４は、プレート９４の長手方向寸法に組み込まれた波形状９２を示す。図２５は、プレート９８の長手方向寸法に組み込まれた谷形状９６を示す。様々な実装において、断面形状と長手方向形状との任意の組み合わせが、様々なプレートおよびプレート部分設計において併用または使用され得る。様々な断面および長手方向形状の特定の寸法は、ポータブル電子デバイスに関するプレートからのＲＦ放射の所望される減衰／吸収／反射の程度によって決定／計算され得る。本明細書に開示される様々な形状のプレートは、非限定的な例として、スタンピング、穿孔、鋳造、成形、および金属性または非金属性材料の他の任意の成形方法によって作られ得る。プレートの様々な実装における形状は、それらがＲＦ放射に影響を及ぼし得るという点で機能的であってよく、または形状の一部は装飾的または観賞用であってよく、あるいは機能的かつ装飾的／観賞用の両方であってよい。
【０１０４】
本明細書に開示される様々なプレート実装の多くは、（たとえば一片の金属などの）１つの単一材料で作られる。プレートを塗装するために用いられ得る様々なコーティングが開示された。ただし、様々な実装において、プレートに塗工されるコーティングとは別に、プレート自体が様々な積層材料で作られてよい。図３０を参照すると、プレート１００の実装の断面図が示される。図示するように、この実装において、プレート１００は、たとえば本明細書に開示された任意の非金属材料などの非金属／非金属性材料で作られた内側層１０２を含む。（本明細書に開示された任意の金属または金属含有材料であってよい）金属または金属含有材料の２つの層１０４、１０６が内側層１０２を間に挟む。２つの層１０２、１０６は、非限定的な例として、糊付け、メッキ、吹付け塗装、吹付けコーティング、蒸着、塗装、染色、刷毛塗り、静電コーティング、または他の方法で内側層１０２に連結され得る。２つの個別の金属層１０２、１０６を用いることで、様々な実装においてポータブル電子デバイスからのＲＦ放射の減衰／反射／吸収が助長され得る。追加の数の金属および非金属層（または追加の金属層）が様々な実装において用いられてよい。たとえば、図３１を参照すると、プレート１１８の断面に積層された５つの金属層１０８、１１０、１１２、１１４、および１１６が示される。各層は、プレート１１８による所望の減衰／反射／吸収効果に依存して、同じ種類の金属または異なる種類の金属または金属含有材料であってよい。様々な実装において、５より多い数の層が用いられ得る。また、様々な実装において、様々なプレート実装の断面に、積層され間に挟まれた様々な非金属層が含まれ得る。本明細書に開示される金属、金属含有、および非金属材料のいずれかが、そのような実装において用いられ得る。たとえば、フェライトファイリングの層が、非金属内側層の両面に塗装されてよく、あるいは金属テープの層が、内側層の両面に塗工され得る。
【０１０５】
図３０は、内側層が非金属材料である例を示す。他の実装において、内側層は金属材料であってよく、外側の２層が、本明細書に開示されるコーティング材料のいずれかで形成され得る。いくつかの実装において、両方の層が非金属材料で作られてよい。２つ以上の金属層、非金属層、およびそれらの任意の組み合わせが、いくつかの実装において用いられ得る。
【０１０６】
本明細書において、様々なコーティングの種類およびコーティング層の使用が開示された。様々なプレート実装において、コーティングは、図３２に示すプレート１２０のように、プレートの一部のみを被覆してよい。プレート１２０は、コーティング１２２によって被覆された一部のみを有する。部分的に塗装されたプレートは、プレートの一部のみが腐食からの保護を必要とする場合、またはコーティング材料自体が、プレート１２０が連結された（カバー内に、または直接連結された）ポータブル電子デバイス１２４からのＲＦ放射に対する独立した効果を有する場合、有用であり得る。いくつかの実装において、図３３に示すように、積層されていない複数のコーティングの使用が用いられてよく、ここでプレート１２６は、プレート１２６の別の部分を被覆する第１のコーティング１２８および第２のコーティング１３０を有する。図３１における実装のように、この技術は、コーティングが、プレート１２６が連結されたポータブル電子デバイス１３２からのＲＦ放射に対する異なる目的または異なる効果を有する場合に用いられ得る。
【０１０７】
本明細書に開示される様々なプレート実装およびＲＦ遮蔽デバイスは、ポータブル電子デバイスの背面とカバーとの間で用いられ、あるいはポータブル電子デバイスの背面に直接連結されるものとして例示された。特定の実装において、プレート１３４は、図２６に示すように、ポータブル電子デバイス１３８に連結されたカバー１３６に直接連結され得る。連結は、本明細書に開示される連結システムおよび方法のいずれかを用いて生じ得る。他の実装において、図２７に示すように、プレート１４０は、カバー１４２の凹部内に摺動可能に連結されてよく、その後、カバー１４２がポータブル電子デバイス１４４の背面を覆って連結される。プレート１４０は、中へ摺動すると、非限定的な例として、ラッチ、スナップ、ファスナ、クリップ、フラップ、または構造をポケット内に永続的または非永続的に保持するための任意の機構によって、定位置に保持され得る。そのような実装は、ユーザが、自身が所望する特定の程度のＲＦ遮蔽効果を識別し、対応するプレートを使用するための柔軟性を提供し得る。図２７におけるカバー１４２はポータブル電子デバイス１３８よりも大きいものとして示されるが、他の実装において、カバーはこれより小さく、カバー１４２内へ摺動したプレートとともにポータブル電子デバイスに取り付けられ得る。ただし、他の実装において、プレートはカバー１４２内へ摺動せず、本明細書に開示される他の実装と同様に、より小さなカバーと電話機との間に配置され得る。これらの実装において、カバーは、クリップがポータブル電子デバイスのエッジに係合するとプレートをポータブル電子デバイスの背面に保持するプラスティッククリップの形式を用いてよい。
【０１０８】
また他の実装において、カバーは用いられず、代わりに、図２８に示すように、ポータブル電子デバイス１４８の背面にスリーブ１４６が直接連結され得る。プレート１５０はその後、（ポータブル電子デバイスに対する任意の方向から（上、下、左、右、または斜めに））スリーブ１４６内へ摺動可能に連結される。いくつかの実装において、プレート１５８はその後、プレート１５０の少なくとも一部を露出したまま、スリーブ１５２に永続的に取り付けられ得る。他の実装において、プレート１５０は、スリーブ１４６内へ摺動した後、露出していなくてもよい。同様に、スリーブ１５２は、図２９に示すように、ポータブル電子デバイス１５６に連結されたカバー１５４に直接連結され得る。プレート１５８はその後、ポータブル電子デバイスに対する任意の方向から（上、下、左、右、または斜めに）スリーブ１５２内へ摺動可能に連結される。いくつかの実装において、プレート１５８はその後、スリーブ１５２に永続的に取り付けられ得る。本明細書に開示されるプレート実装のいずれかは、図２６〜２９に示す実装において用いられ得る。非限定的な例として、プラスティック、皮革、布、ゴム、金属含有材料、およびプレートをその内部に摺動可能に保持し得る他の任意の材料を含む幅広く様々な材料が、様々なスリーブ実装のために用いられ得る。
【０１０９】
カバーの様々な実装において、デバイスの使用中または不使用時、カバーのフラップ部分がポータブル電子デバイスの前面に乗ることを可能にする特定のカバーが考案された。フラップ部分は、所望に応じて、前面から回転して離れてよい。図３４は、そのようなカバーの実装を示し、ここでフラップ１６０は、ポータブル電子デバイス１６６の背面を覆って連結されたカバー部分１６４に、ヒンジ１６２を介してヒンジ式で連結される。図示するように、様々な実装において、プレート１６８は、使用中、ポータブル電子デバイス１６６の前面からＲＦ遮蔽を提供するためにフラップ１６０内に摺動可能に連結され得る。他の実装において、プレート１６８は、フラップ１６０に縫い付けられ、糊付けされ、またはフラップ１６０内に形成され得る。また図示するように、プレート１７０は、ポータブル電子デバイスの背面を覆うカバー部分１６４の裏に（またはカバーの内部、またはポータブル電子デバイスの背面とカバーとの間に）直接連結され得る。プレート１７０の使用が図３４に示されるが、他の実装において、プレート１７０は省かれてよく、そのプレートの機能は、ポータブル電子デバイスの使用中または不使用時、フラップ１６０（およびプレート１６８）がカバー部分１６４の背面の上を回転することを可能にすることによって再現され得る。このようにして、プレートの使用の柔軟性が高められ得る。
【０１１０】
他のカバー実装において、（図３５に示すような）フラップ１７２の設計は、フラップ１７２がデバイス１７４の前面を覆って閉じた時、ポータブル電子デバイス１７４の前面および側面の少なくとも一部を封入するシェルの形式を用いてよい。図示するように、プレート１７６は、フラップ１７２の構造内に含まれ（または図３４に示す実装のように摺動可能に連結され）てよい。いくつかの実装において、プレート１７６のＲＦ遮蔽材料は、シェルの１または複数の側部に伸長し、それによってポータブル電子デバイス１７４の側部の少なくとも一部を覆うＲＦ遮蔽効果を提供してよい。フラップ１７２に関する閉じた固定シェル設計の使用が図３５に示されるが、他の実装において、シェルは、図３６に示すように、メインフラップ１８０から伸長する１または複数の追加の湾曲フラップ１７８によって形成され得る。１または複数の追加の湾曲フラップ１７８は、開口部を有してよい。メインフラップ１８０がポータブル電子デバイスの前面を覆って閉じると、湾曲フラップ１７８は、ポータブル電子デバイスの側面の少なくとも一部を覆って閉じる。ＲＦ遮蔽材料が湾曲フラップ１７８に含まれ得るので、湾曲フラップ１７８の効果は、フラップ１７２と同様であってよい。いくつかの実装において、フラップ１７２のヒンジもまた、ＲＦ遮蔽材料を含んでよい。プレート１８２は、メインフラップ１８０の構造に含まれる。本明細書に開示されるプレート実装のいずれかは、図３４〜３６に示すカバー実装において用いられ得る。いくつかの実装において、フラップ１７２全体の材料は、金属含有材料で作られ得る。他の実装において、フラップ１７２全体が金属含有材料で作られ、個別のプレートは用いられないが、フラップ１７２がプレートとして機能する。他の実装において、ポータブル電子デバイスの前面に向いたフラップの側面と対向する前面は、非限定的な例として、プラスティック、ガラス、または他の任意の光透過性材料で作られ得る。これらの実装において、光透過性材料は、金属含有部分も含んでよい。
【０１１１】
図３４および図３５におけるフラップは、磁気連結器または他のファスナ型式を用いて、ポータブル電子デバイスの前面を覆って保持され得る。
【０１１２】
本明細書に開示されるような様々なプレート実装は、ポータブル電子デバイスの側面を取り巻き連結する、折り曲げ式または固定形状クリップまたはプレート自体の突起を用いて、任意のポータブル電子デバイスの背面に取り付けられ得る。これらの実装において、本明細書に開示される他の実装と同様、ポータブル電子デバイスとプレートとの間またはプレートの外側表面において詰め物材料がプレート自体に連結され得る。
【０１１３】
ここまで本明細書において、プレートおよび様々な支持体の形式で連続的に分布した材料の使用が開示されたが、本明細書に開示されるようなＲＦ遮蔽デバイスは、散在した材料設計を用いてよい。図１８を参照すると、メッシュ１８４の形式のそのような散在材料設計の例が示される。図示するように、メッシュ１８４は、非限定的な例として、織り合わせ、糊付け、溶接、はんだ付け、または２つの略垂直方向に配置された材料を互いに連結する他の任意の方法によって互いに連結された複数の垂直配向部材１８６、１８８から成る。様々な実装において、複数の垂直配向部材１８６、１８８は、本明細書に開示されるいずれかのような金属または金属含有材料を含んでよい。いくつかの実装において、垂直配向部材１８６、１８８は、同じ材料で作られてよく、他の実装において、同様に配向された部材の一方のセットは、非金属材料を含む他方の垂直に位置合わせされたセットとは異なる材料で作られ得る。いくつかの実装において、同様に配向された部材の各セットのいくつかは、非金属材料を含む２つ以上の異なる材料で作られてよい。いくつかの実装において、垂直配向部材の両端は、（図１８に示す実装のように）自由であってよい。他の実装において、垂直配向部材の両端を固定するために、エッジング、フレーム、またはエッジバーが用いられ得る。様々な実装において、部材は、垂直または略垂直配向でなく、互い対し幅広く様々な角度で配向されてよい。
【０１１４】
図１９は、材料のシート１９４によって形成された、間隔を空けた複数の閉形状開口部１９２によって形成されたメッシュ１９０を示す。図１９に示す例において、開口部は六角形であるが、様々な実装において開口部は任意の閉形状であってよく、様々な実装においてそれら全てがシート内で同じサイズまたは面積である必要もない。材料のシート１９４は、本明細書に開示される任意の金属または金属含有材料または本明細書に開示されるポータブル電子デバイスからのＲＦ放射に影響を及ぼす他の材料であってよい。本明細書に開示される様々なメッシュ実装に形成された開口部のサイズは、所望のポータブル電子デバイスによるＲＦ放射の偏向、吸収、または反射の所望の程度によって決定され得る。
【０１１５】
本明細書に開示される様々なメッシュ実装は、本明細書に開示されるプレートおよびカバー実装のいずれかの代わりに用いられ得る。いくつかの実装において、メッシュ実装は、ポータブル電子デバイスによるＲＦ放射に対する所望の効果に依存して、プレート実装と組み合わせて用いられ得る。また、様々な実装において、本明細書に開示されるコーティング実装のいずれかに組み込まれたメッシュ実装も用いられ得る。様々なメッシュに関して可能な幅広く様々な応用が、本明細書に開示される原理を用いて構成され得る。本明細書に開示される同じ型式または異なる型式の複数のメッシュが、１または複数のプレートを用いることを含む、本明細書に開示される実装のいずれかにおいてともに用いられ得る。
【０１１６】
上記説明が、ポータブル電子デバイスから放出された電磁放射を反射し、偏向させ、および／または吸収するためのデバイスおよび関連方法の特定の実装、および実装部品、部分的構成要素、方法、および部分的方法に言及する場合、本明細書の主旨から逸脱することなく数々の修正がなされ得ること、およびこれらの実装、実装部品、部分的構成要素、方法、および部分的方法は、ポータブル電子デバイスから放出された電磁放射を反射し、偏向させ、および／または吸収するための他のデバイスおよび他の関連方法に適用され得ることを容易に理解すべきである。
【図１】
2021509799.tif 000003
【図２】
2021509799.tif 000004
【図３】
2021509799.tif 000005
【図４】
2021509799.tif 000006
【図５】
2021509799.tif 000007
【図６】
2021509799.tif 000008
【図７】
2021509799.tif 000009
【図８】
2021509799.tif 000010
【図９】
2021509799.tif 000011
【図１０】
2021509799.tif 000012
【図１１】
2021509799.tif 000013
【図１２】
2021509799.tif 000014
【図１３】
2021509799.tif 000015
【図１４】
2021509799.tif 000016
【図１５】
2021509799.tif 000017
【図１６】
2021509799.tif 000018
【図１７】
2021509799.tif 000019
【図１８】
2021509799.tif 000020
【図１９】
2021509799.tif 000021
【図２０】
2021509799.tif 000022
【図２１】
2021509799.tif 000023
【図２２】
2021509799.tif 000024
【図２３】
2021509799.tif 000025
【図２４】
2021509799.tif 000026
【図２５】
2021509799.tif 000027
【図２６】
2021509799.tif 000028
【図２７】
2021509799.tif 000029
【図２８】
2021509799.tif 000030
【図２９】
2021509799.tif 000031
【図３０】
2021509799.tif 000032
【図３１】
2021509799.tif 000033
【図３２】
2021509799.tif 000034
【図３３】
2021509799.tif 000035
【図３４】
2021509799.tif 000036
【図３５】
2021509799.tif 000037
【図３６】
2021509799.tif 000038
【国際調査報告】
2021509799.tif 000039
2021509799.tif 000040